(57)【要約】【課題】  収納室へのティッシュペーパーの差し替えや交換を極めて簡単に行うことができると共に、ティッシュペーパーを引出し口から引出す度に上蓋板が一緒に持ち上がらないようにし、且つ、全体がきれいでインテリアとして優れた装飾性と機能性を備えたティッシュペーパー収納ケースを提供する。【解決手段】  ティッシュペーパーＴＰを入れる収納ケース体１の下側部又は側部に引出し部２を設ける。収納ケース体１の開放された上面口には、中央部にティッシュペーパー取出し口４Ａを設けた上蓋板４を嵌込んで、収容されているティッシュペーパーＴＰの上面に直接載置する。上蓋板４の重量を、取出し口４ＡからティッシュペーパーＴＰを取出した時に一緒に持ち上がらない重さに造る。【選択図】      図１
2005080950.tif 000002
【特許請求の範囲】
【請求項１】
ティッシュペーパーを市販のティッシュペーパーボックスごと、又は、ティッシュペーパーだけを収納可能に構成したティッシュペーパー収納ケースであって、
上記の収納ケースを、
上側部が上面を開口したティッシュペーパーの収納室に成っており、下側部又は側部が各種の小物類や身の回り品等を入れる引出し体を収めた引出し部に成っている収納ケース体と、
上記収納室に収めたティッシュペーパーボックス又はティッシュペーパーの上側面に直接載置でき、且つ、中央部にはティッシュペーパーの取出し口を開口形成すると共に、全体の重量が、該取出し口からのティッシュペーパーの取出しに際して上方に持ち上がらない重石の役目を発揮するように重く構成されている上蓋板と、によって構成したことを特徴とするティッシュペーパー収納ケース。
【請求項２】
前記収納ケースと上蓋板を、収納室内部を透視可能な透明部材を用いて構成すると共に、前記引出し部の部分を、内部に収めた小物類や身の回り品等が外から見えないように不透明な構造に構成したことを特徴とする請求項１に記載のティッシュペーパー収納ケース。
【請求項３】
少くとも前記引出し体を引出し自在に収めた引出し部と、引出し体と、その前面板を不透明な構造に造ることによって、引出し体内に収めた小物類や身の回り品等が外側部から見えないように構成したことを特徴とする請求項２に記載のティッシュペーパー収納ケース。
【請求項４】
前記の上蓋板を、前記ティッシュペーパーの収納室に対して取外し自在、及び、交換自在に構成すると共に、上蓋板の上面には、各種のデコレーション装飾やデザインを施したことを特徴とする請求項１、２又は３に記載のティッシュペーパー収納ケース。
【発明の詳細な説明】
【技術分野】
【０００１】
本発明は、ティッシュペーパーを市販のティッシュペーパーボックスごと、又は、ティッシュペーパーだけを収納して、各人の使用に供することができるティッシュペーパー収納ケースに関するものであって、具体的には、ティッシュペーパーを一枚ずつ取出すことができる取出し口と、各種の医薬品や化粧品類、或は、財布、避妊具等の小物類や身の回り品等を入れる引出し部を備えたティッシュペーパー収納ケースに関するものである。
【背景技術】
【０００２】
ティッシュペーパーを収納する収納ケースに関しては、従来より各種構造のものが存在するが、特に、ティッシュペーパーを一枚ずつ取出すことができるティッシュペーパー取出し口と、各種小物類等を収納可能にした引出し部を備えたティッシュペーパー収納ケースに関しては、従来より例えば特許文献１に記載のものが存在する。
【０００３】
上記特許文献１に記載のティッシュペーパー取出し口付き収納ケースは、収納ケースの引出しの前板や外側の天板、或は、引出しと外箱の側板、蓋、箱本体等にティッシュペーパー取出し口を設けて、引出しや収納ケース内部に収納したティッシュペーパーを、この取出し口から一枚ずつ取出すことができるように構成している。
【０００４】
上記特許文献１に記載の収納ケースを更に詳しく説明すると、当該公報の図１に示すように、引出し付き書類等収納ケースにおいて、引出し１の前板１ａやその側板１ｂ、或は、外箱２の天板２ａや側板２ｂに、ティッシュペーパー取出し口３ａ，３ｂ，３ｃ，３ｄを設けたものである。また、その図２に示すように、蓋４と箱本体５から成る収納ケースにおいて、箱本体５の前板５ａと側板５ｂ、或は、蓋４の所定位置に夫々ティッシュペーパー取出し口６ａ，６ｂ，６ｃを設けたものである。
【０００５】
上述した特許文献１に記載のものは、いずれも机上やその周辺等にティッシュペーパーボックスを露出したまま放置することなく、外来者等に見苦しいティッシュペーパーボックスの存在が分からないようにすると共に、机上やその周辺部の整理整頓をし易くすることができる特徴を備えている。
【０００６】
しかし、上記特許文献１に記載の収納ケースは、それ自体が室内装飾品としてのインテリア性に欠けるため、これを机上やその周辺部に置いた場合は、収納ケース自体の存在が却って室内の雰囲気を壊してしまう原因に成っていた。
【０００７】
加えて、上記の図１に示した引出し１内にティッシュペーパーボックスをセットする場合は、引出し１を外箱２から引出してセットする必要があって、甚だ面倒であると共に、引出し１の前板１ａに引出し口３ａを設けた場合には、引出し口３ａからティッシュペーパーを引出す度に引出し１が一緒に引出されてしまうため、引出し操作が面倒に成る問題があった。
【０００８】
また、上記の図２に示した蓋４と箱本体５から成る収納ケースに付いても、箱本体５へのティッシュペーパーボックスのセットの都度、蓋４を箱本体５から取外さなければならないため、作業が頗る面倒であると共に、蓋４に設けた引出し口６ｃからティッシュペーパーを引出した時に、蓋４が箱本体５から外れて一緒に持ち上がってしまう場合があるので、引出し操作が面倒に成る問題があった。
【特許文献１】特開平６−２５５６８６号公報
【発明の開示】
【発明が解決しようとする課題】
【０００９】
本発明は上述した各問題点を解決するために開発されたものであって、その技術的課題は、収納室へのティッシュペーパーの差し替えや交換を極めて簡単に行うことができると共に、ティッシュペーパーを引出し口から引出す度に上蓋板が一緒に持ち上がらないようにし、且つ、全体がきれいでインテリアとして優れた装飾性と機能性を備えたティッシュペーパー収納ケースを提供することである。
【課題を解決するための手段】
【００１０】
上記の技術的課題を解決するために本発明で講じた手段は以下の通りである。
【００１１】
（１）  請求項１に記載の如く、ティッシュペーパーを市販のティッシュペーパーボックスごと、又は、ティッシュペーパーだけを収納可能に構成したティッシュペーパー収納ケースであって、上記の収納ケースを、上側部が上面を開口したティッシュペーパーの収納室に成っており、下側部又は側部が各種の小物類や身の回り品等を入れる引出し体を収めた引出し部に成っている収納ケース体と、上記収納室に収めたティッシュペーパーボックス又はティッシュペーパーの上側面に直接載置でき、且つ、中央部にはティッシュペーパーの取出し口を開口形成すると共に、全体の重量が、該取出し口からのティッシュペーパーの取出しに際して上方に持ち上がらない重石の役目を発揮するように重く構成されている上蓋板と、によって構成したことを特徴とする。
【００１２】
（２）  請求項２に記載の如く、前記収納ケースと上蓋板を、収納室内部を透視可能な透明部材を用いて構成すると共に、前記引出し部の部分を、内部に収めた小物類や身の回り品等が外から見えないように不透明な構造に構成したことを特徴とする。
【００１３】
（３）  請求項３に記載の如く、少くとも前記引出し体を引出し自在に収めた引出し部と、引出し体と、その前面板を不透明な構造に造ることによって、引出し体内に収めた小物類や身の回り品等が外側部から見えないように構成したことを特徴とする。
【００１４】
（４）  請求項４に記載の如く、前記の上蓋板を、前記ティッシュペーパーの収納室に対して取外し自在、及び、交換自在に構成すると共に、上蓋板の上面には、各種のデコレーション装飾やデザインを施したことを特徴とする。
【００１５】
上記（１）で述べた手段によれば、下側部又は側部に設けた引出し部に各種の小物類や身の回り品等を収納することができると共に、収納室へのティッシュペーパーのセットに際しては、このティッシュペーパーの上面に重石として載せている上蓋板を取外すだけで済むため、ティッシュペーパーの補充や交換等の作業を容易に行うことができ、且つ、この上蓋板は取出し口からティッシュペーパーを取出す際に、一緒に持ち上がらない重さに造られているため、ティッシュペーパーの取出しを片手だけで極めて円滑に行うことを可能にする。
【００１６】
また、上記（２）で述べた手段によれば、ティッシュペーパーを収めた収納室と上蓋板を、内部を透視可能な透明部材（例えばアクリル板用）で造っているため、内部に収めたティッシュペーパーボックスを外部から見たり、或は、ボックスに入れずに直接収納したティッシュペーパーそのものを見たり、その残りの量（枚数）を目視確認したりすることを可能にする。
【００１７】
更に上記（２）と（３）で述べた手段によれば、収納ケースと上蓋板が透視可能な透明部材で造られているのに対し、引出し部は外側から内部を見ることができない不透明な構造に造られているため、例えば、避妊具や財布のような他人にはあまり見られたくない、ごくプライベートな物も安心して収納できると共に、上側部の収納室内に収めたティッシュペーパーを外部から目視確認できるのに対し、下側部の引出しの内部を見ることができないという、アンバランスな美的印象を発揮することを可能にする。
【００１８】
上記（４）で述べた手段によれば、上蓋板の上面にきれいなデコレーション装飾を施したり、各種デザインを施したりすることによって、優れた装飾効果を発揮することができると共に、上蓋板は取外し自在であり、且つ、交換自在でもあるため、異なるデコレーション装飾やデザインを施した上蓋板を何枚か用意しておいて、使用する部屋のデザインや色、或は、雰囲気と言ったＴＰＯに合った利用を可能にする。
【発明の効果】
【００１９】
以上述べた次第で、本発明に係るティッシュペーパー収納ケースによれば、従来の単なる収納ボックスに過ぎなかった収納ケースに、インテリアとして優れた装飾性と機能性を具備せしめることができるものであって、ティッシュペーパーを一枚ずつ確実に取出すことができる点、各種ＴＰＯに合った使用を可能にする点、並びに、装飾物の材質や形状による高級感や、お洒落な感じを出すことができる点と相俟って、一般家庭や会社或は病院等で使用して、まことに好適で且つ実用性の高いものである。
【発明を実施するための最良の形態】
【００２０】
以下に、上述した本発明に係るティッシュペーパー収納ケースの実施の形態を図面と共に説明すると、図１は本発明の全体を示した斜視図、図２は上蓋板の上面に施したデコレーション装飾の一例を示した斜視図、図３は本発明の全体を分解して示した斜視図であって、これ等の図面に於いて符号１で全体的に示したのは、内部を市販のティッシュペーパーボックスＴＢ、又は、ティッシュペーパーのいずれをもそのまま収納可能な内形寸法の収納室１Ｈに構成した収納ケース体で、この収納室１Ｈの上面は開口された状態（開放された状態）に造られている。尚、図３に於いてＴＡはティッシュペーパーボックスＴＢに設けたティッシュペーパーＴＰの引出し口を示す。
【００２１】
２は、上記収納ケース体１の下側部に連設した引出し部で、その内部２Ｈには各種の医薬品や化粧品類、或は、財布、避妊具等の小物類（身の回り品）等を入れるための収納部３Ｈを備えた引出し体３が、引出し自在に収められている。尚、図中２′は上記収納ケース体１と引出し部２の間を仕切る仕切板、３Ａは引出し体３の前面板、２Ａは引出し体３の引出しをスムーズに行えるように、上記引出し部２の入口部分に設けた指掛け用の溝（切欠溝）を示す。
【００２２】
４は上記収納ケース体１の収納室１Ｈ内に嵌込み自在に構成した上蓋板で、４Ａはこの上蓋板４の中央部に開口形成したティッシュペーパーＴＰの取出し口であって、上蓋板４は図示したように上記収納室１Ｈ内に収められているティッシュペーパーボックスＴＢ、又は、ティッシュペーパーそのものの上面側に直接載置されて、簡単に取外したり、或は、交換したりできる仕組に構成されている。また、その全体の重量は、取出し口４ＡからティッシュペーパーＴＰを引出した時に、一緒に持ち上がらない重石としての役目を発揮する重さに造られている。
【００２３】
図２において、４Ｓ…は上記上蓋板４の上面に設けたデコレーション装飾又はデザインであって、上蓋板４には図示したような形状のデコレーション装飾を始めとする各種の装飾体や、その他のデザイン類が施されている。また、本発明ではこれ等の各種装飾やデザインが施された上蓋板４が予め複数種類用意されていて、ＴＰＯに合わせて使用することも可能にしている。
【００２４】
尚、上述した図１及び図３に記載の上蓋板４、並びに、後述する図４、図５に記載の各上蓋板４には、上記デコレーション装飾４Ｓやデザインに相当するものが記載されていないが、これは便宜的に省略したものであって、実際には全ての上蓋板４に各種のデコレーション装飾４Ｓやデザインが施されている。
【００２５】
図４と図５は、引出し部５，７を上記収納ケース体１の側部に連設した他の実施例を示したものであって、図面には引出し部５，７が正面から見て収納ケース体１の右側に連設したものが示されているが、これは実施の一例であって、反対の左側に連設しても、また、両側に連設してもよく、その選択は任意とする。また、図５及び前述した図１、図２に於いて、引出し体８並びに３は、いずれも収納ケース体１の前面側にのみ引出し可能に構成されているが、これを収納ケース体１の後面側にも引出すことができるように構成してもよく、その選択も任意とする。
【００２６】
図４と図５に於いて、５′，７′は収納ケース体１と引出し部５，７とを仕切る仕切板を示し、また、図４に於いて、６は引出し部５の側面開口部に開閉回動自在に取付けた断面略Ｌ字形状の板状に形成した引出し体で、６Ｔは小物類等が収納載置される引出し体６の内部載置板、６Ａは開放時に用いる指掛け溝、５Ｈは引出し部５の内部収容室を示す。
【００２７】
更に、図５に於いて、８は引出し部７の前面に設けた開口部より、内部収容室７Ｈ内に引出し自在に収めた小型の引出し体で、８Ｈは小物類等を入れる収納部、８Ａは前板、７Ａは引出し時に用いる指掛溝を示す。
【００２８】
以上の如く構成した収納ケース体１と重石となる上蓋板４、及び、引出し部２，５，７と引出し体３，６，８の全体は、通常の場合、各種の色に塗装された木、厚紙、各種プラスチック材、或は、ステンレス材、アルミ材等の金属材を用いて形成されるが、収納ケース体１の内部を可視可能に構成する場合は、これ等の各部材を例えばアクリル樹脂のような内部を透視可能な透明なプラスチック材を用いて構成する。
【００２９】
しかし、引出し体３，６，８の内部には、例えば財布や避妊具のような外部から直接見られたくないごくプライベートな小物類や、医薬品等を収納する場合があるので、少くとも前述した各仕切板２′，５′，７′と、各引出し部２，５，７と、各引出し体３，６，８を不透明材料で造ったり、これ等の各面に塗装を施したり、目隠し用のテープ類を接着したりして、引出し部２，５，７の内部が外から見えないように工夫している。
【００３０】
また、実際の販売に際しては、前記引出し体３、８を収納ケース体１の前後いずれの方向にも引出し可能に構成して、小物類等の出し入れを収納ケース体１の前後両側から簡単に、且つ、便利に行える様にする。
目の不自由な人にも判り易い様に、前記引出し体３，６，８の各指掛溝２Ａ，６Ａ，７Ａの周りやその近辺に、識別マークを設けたりする。
収納ケース体１の全体又は一部に蛍光カラーと挿入を施したり、ＬＥＤを設けたりして、暗闇でも置き場所が容易に確認できるようにすると共に、簡易なスタンド照明としての機能を発揮できるようにする。
収納ケース体１の底面に滑り止め用のテープを接着したり、溝を設けたりする。各引出し体３，６，８を引出すと、オルゴール音等が発音するようにする。
と言った各種の工夫を施して、商品価値を高めることが行われる。
【図面の簡単な説明】
【００３１】
【図１】本発明に係るティッシュペーパー収納ケースの一例を示した斜視図。
【図２】上蓋板に施されたデコレーション装飾の一例を示した斜視図。
【図３】図１に示した収納ケースの全体を分解して示した斜視図。
【図４】引出し部を収納ケース体の側部に設けた本発明の一実施例を示した斜視図。
【図５】引出し部を収納ケース体の側部に設けた本発明の他の実施例を示した斜視図。
【符号の説明】
【００３２】
１          収納ケース体
２，５，７          引出し部
３，６，８          引出し体
４          上蓋板
４Ａ        取出し口
４Ｓ        デコレーション装飾
ＴＢ        ティッシュペーパーボックス
ＴＰ        ティッシュペーパー
【図１】
2005080950.tif 000003
【図２】
2005080950.tif 000004
【図３】
2005080950.tif 000005
【図４】
2005080950.tif 000006
【図５】
2005080950.tif 000007